(57)【特許請求の範囲】
【請求項１】
筐体と、
前記筐体に収められたフレームと、
前記筐体の側面に設けられた少なくとも１つのサイドキーと、
複数の固定接点を有する固定接点回路基板に、前記複数の固定接点に１対１で対応する複数の可動接点を有する可動接点シートを積層してなるスイッチングシートと、を備え、
前記筐体は、前記サイドキーを突出させるための開口を有し、
前記フレームは、前記サイドキーを固定するための貫通穴を有し、
前記サイドキーは、キートップと枠体と前記枠体に形成された貫通ピンとを有し、
前記スイッチングシートは、折曲られて前記フレームの外側面の前記サイドキーを設置する位置まで延設され、前記サイドキーの前記貫通ピンに対応する位置に透孔を有し、
前記サイドキーの前記貫通ピンを前記スイッチングシートの前記透孔と前記フレームの前記貫通穴に貫挿することにより、前記サイドキーと前記スイッチングシートとが前記フレームの外側面に固定又は仮止めされ、
前記枠体と前記スイッチングシートとが前記筐体の内側面と前記フレームの外側面との間に配置され、前記キートップが前記筐体の開口より突出することにより、前記サイドキーが前記筐体の側面に固定された
携帯端末装置。
【請求項２】
請求項１に記載の携帯端末装置であって、
前記サイドキーは、前記キートップと、前記枠体と、前記貫通ピンとが一体形成された樹脂製のものであり、前記キートップと前記枠体とが２箇所で接続されており、前記キートップと前記枠体とはそれ以外の箇所では前記キートップを可動しやすくするために接続されていない
携帯端末装置。
【請求項３】
請求項１又は請求項２に記載の携帯端末装置であって、
前記スイッチングシートは、両面接着テープを介して前記フレームの主面に接着された
携帯端末装置。
【請求項４】
請求項１乃至請求項３のいずれか１項に記載の携帯端末装置であって、
前記サイドキーは、前記貫通ピンを複数有し、
前記フレームは、前記貫通穴を複数有し、
前記貫通ピンのそれぞれは、前記サイドキーに対して対称となる位置を外して配設され、
前記貫通穴のそれぞれは、フレームに対して対称となる位置を外して配設された
携帯端末装置。
【請求項５】
請求項１乃至請求項４のいずれか１項に記載の携帯端末装置であって、
前記スイッチングシートは、前記サイドキーを設置する位置に設けられた前記可動接点又は前記固定接点が、前記サイドキーと１対１で対向する状態で、前記フレームの側面に取り付けられ、前記サイドキーを押圧することにより対応する前記可動接点と前記固定接点とが相互に接触して電気信号が入力される
携帯端末装置。
【請求項６】
請求項１乃至請求項５のいずれか１項に記載の携帯端末装置であって、
操作キーが配置されたキーシートを備え、
前記操作キーと前記固定接点又は前記可動接点が１対１で対向する状態で、前記キーシートと前記スイッチングシートとが相互に重ね合わせられて前記筐体又は前記フレームの主面に取り付けられ、任意の前記操作キーを押圧することにより対応する前記可動接点と前記固定接点とが相互に接触して電気信号が入力される
携帯端末装置。
【発明の詳細な説明】
【技術分野】
【０００１】
本発明は、携帯端末装置にかかり、特にサイドキーを備える携帯電話機、ＰＨＳ（Personal Handyphone System）、ＰＤＡ（Personal Digital Assistant）などの携帯端末装置に関する。
【背景技術】
【０００２】
近年、携帯電話機に代表される携帯端末装置は、各種開発が進められているが、その多機能化に加えて、携帯電話機は高機能化が進展しており、ユーザによる入力操作のための手段たる操作ボタン（キー）として、正面操作ボタンに加えて、側面操作ボタン（サイドキー）を備える機種が開発されている。携帯電話機の筐体の正面（前面）においてダイヤルボタン・機能ボタン・方向入力ボタン等の各種の操作ボタンが所定のデザインで配置されると共に、筐体側面において所定の入力機能を実現するための操作ボタンが配置される。
【０００３】
このように筐体の正面と側面の両方において操作ボタンを備える携帯電話機は、正面操作ボタンと側面操作ボタンとを構成するために、正面操作ボタン部分と側面操作ボタン部分とで２つの別々の部品として製作することができる。そして、それぞれの部品を筐体内に組み付けることにより携帯電話機製品を完成させることができる。
【０００４】
しかしながら、この方法では、正面操作ボタン部分と側面操作ボタン部分とを別々の部品で構成するようになっているため、操作ボタン部品の組み付けのための工数の増大と部品コストが増大する。
【０００５】
そこで、正面操作ボタン部と側面操作ボタン部とを弾性体シート上に一体で構成し、筐体ケースの正面及び側面の内側に沿って折り曲げて配置するとともに、各操作ボタントップを筐体ケースの正面及び側面における所定の開口部に配置するようにした構造が提案されている。この構成によれば、操作ボタン組み付け工数の低減と、部品コスト低減とを実現することができる（特許文献１）。
【０００６】
【特許文献１】特開２００４−８８６５３号公報
【発明の開示】
【発明が解決しようとする課題】
【０００７】
しかしながら、特許文献１のような構成においても、操作ボタン組み付け作業中に、操作ボタン部品が所定位置からずれたり、筐体ケースから浮き上がってしまうなど、依然として、組立の作業性が悪いという問題があった。
そこで、組立に際して、両面粘着テープを用いて、サイドキーのキートップをフレキシブルシート等の弾性体シートに接着し、位置決めを行うことも考えられる。
しかしながら、サイドキーのような微小部分に両面粘着テープを貼り付けてフレキシブルシート等の弾性体シートに接着するのは、取り扱いが困難であり、組立に専用の冶具を用いる必要があるなど、作業性低下の原因となる。また、両面粘着テープの分の部品点数の増加によりコストアップの原因にもなる。
本発明はこのような従来の課題に鑑みてなされたもので、サイドキーの組立の作業性が良好な携帯端末装置を提供することを目的とする。
【課題を解決するための手段】
【０００８】
本発明の携帯端末装置は、筐体と、前記筐体に収められたフレームと、前記筐体の側面に設けられた少なくとも１つのサイドキーと、複数の固定接点を有する固定接点回路基板に、前記複数の固定接点に１対１で対応する複数の可動接点を有する可動接点シートを積層してなるスイッチングシートと、を備え、前記筐体は、前記サイドキーを突出させるための開口を有し、前記フレームは、前記サイドキーを固定するための貫通穴を有し、前記サイドキーは、キートップと枠体と前記枠体に形成された貫通ピンとを有し、前記スイッチングシートは、折曲られて前記フレームの外側面の前記サイドキーを設置する位置まで延設され、前記サイドキーの前記貫通ピンに対応する位置に透孔を有し、前記サイドキーの前記貫通ピンを前記スイッチングシートの前記透孔と前記フレームの前記貫通穴に貫挿することにより、前記サイドキーと前記スイッチングシートとが前記フレームの外側面に固定又は仮止めされ、前記枠体と前記スイッチングシートとが前記筐体の内側面と前記フレームの外側面との間に配置され、前記キートップが前記筐体の開口より突出することにより、前記サイドキーが前記筐体の側面に固定されたことを特徴とする。
この構成によれば、サイドキーの貫通ピンにより位置決めをしながらサイドキーをフレームの側面に固定又は仮止めすることができるため、組立冶具が不要であるなど、サイドキーの組立の作業性が良好である。また、サイドキーの枠体が筐体とフレームの側面との間に配置され、キートップが筐体の開口より突出することで筐体の側面に固定することで、最終的に、サイドキーを筐体に正しく固定することができる。また、スイッチングシートを折曲げ、透孔にサイドキーの貫通ピンを貫挿し、貫通ピンをフレームの貫通穴に貫挿することで、スイッチングシートのフレームの側面への固定又は仮止めの作業性も良好にすることができる。
【００１０】
また本発明は、上記携帯端末装置において、前記スイッチングシートは、両面接着テープを介して前記フレームの主面に接着されたものを含む。
この構成によれば、スイッチングシート（例えば、スイッチングシートのうち、主面に配置される部分）はフレームの主面に両面接着テープで接着することで、フレームの主面への固定がなされる。この後にサイドシートを折り曲げ、透孔にサイドキーの貫通ピンを貫挿し、貫通ピンをフレームの貫通穴に貫挿することで、作業性良くフレームの側面に固定又は仮止めすることができる。
【００１１】
また本発明は、上記携帯端末装置において、前記サイドキーは、前記貫通ピンを複数有し、前記フレームは、前記貫通穴を複数有し、前記貫通ピンのそれぞれは、前記サイドキーに対して対称となる位置を外して配設され、前記貫通穴のそれぞれは、フレームに対して対称となる位置を外して配設されたものを含む。
この構成により、サイドキーがフレームに対して誤った方向に取り付けようとしても、サイドキーの貫通ピンとフレームの貫通穴とが合わないようになっており、サイドキーを誤った向きに取り付けてしまうことを防止できる。
【００１２】
また本発明は、上記携帯端末装置において、前記スイッチングシートは、前記サイドキーを設置する位置に設けられた前記可動接点又は前記固定接点が、前記サイドキーと１対１で対向する状態で、前記フレームの側面に取り付けられ、前記サイドキーを押圧することにより対応する前記可動接点と前記固定接点とが相互に接触して電気信号が入力されるものを含む。
この構成によれば、サイドキーを押圧することで電気信号の入力が可能となる。
【００１３】
また本発明は、上記携帯端末装置において、操作キーが配置されたキーシートを備え、前記操作キーと前記固定接点又は前記可動接点とが１対１で対向する状態で、前記キーシートと前記スイッチングシートとが相互に重ね合わせられて前記筐体又は前記フレームの主面に取り付けられ、任意の前記操作キーを押圧することにより対応する前記可動接点と前記固定接点とが相互に接触して電気信号が入力されるものを含む。
この構成によれば、操作キーを押圧することで電気信号の入力が可能となる。
【発明の効果】
【００１６】
本発明の携帯端末装置によれば、サイドキーの貫通ピンにより位置決めをしながらサイドキーをフレームの側面に固定又は仮止めすることができるため、組立冶具が不要であるなど、サイドキーの組立の作業性が良好である。また、サイドキーの枠体が筐体とフレームの側面との間に配置され、キートップが筐体の開口より突出することで筐体の側面に固定し、最終的に、サイドキーを筐体に正しく固定することができる。また、スイッチングシートを折曲げ、透孔にサイドキーの貫通ピンを貫挿し、貫通ピンをフレームの貫通穴に貫挿することで、スイッチングシートのフレームの側面への固定又は仮止めの作業性も良好にすることができる。
【発明を実施するための最良の形態】
【００１８】
（実施の形態１）
以下、本発明の実施の形態１について、図面を参照しながら詳細に説明する。
図１は、本発明の実施の形態１の携帯端末装置としての携帯電話機１０の全体概要図である。本発明の実施の形態１の携帯電話機１０は、図１に示すように、上部筐体２と下部筐体３とで構成され、上部筐体２と下部筐体３とがヒンジ４で結合されている。図１は、携帯電話機１０を閉じた状態である。図１（Ａ）は斜視図、図１（Ｂ）は側面図である。携帯電話機１０の下部筐体３の側面には、サイドキー５ａ、５ｂが設けられている。サイドキー５ａ、５ｂは、筐体の側面に配置され、これを押圧することで電気信号を入力するためのものである。
【００１９】
本発明の実施の形態１の携帯端末装置としての携帯電話機１０は、図２に示すように、開いた状態にすることができる。上部筐体２は、ヒンジ４を用いて、下部筐体３に対して回動することができる。携帯電話機１０は、図１に示すような閉じた状態から、ヒンジ４を用いて、上部筐体２を、下部筐体３に対して回動することで、図２に示すような開いた状態にすることができる。図２（Ａ）は、斜視図、図２（Ｂ）は側面図である。上部筐体２には、筐体を折り畳んだ状態で下部筐体３と対向する面に液晶表示部６、通話時に相手の声を聞くための受話口９などを設けている。下部筐体３には、筐体を折り畳んだ状態で上部筐体２と対向する面（表側の面）に、電話番号・文字入力などを行う操作キー７、メニュー操作などを行うコマンドナビゲーションボタン８などを設けている。なお、操作キー７、コマンドナビゲーションボタン８などはキーシート３１２上に配置されている。これに加えて、前述したように、下部筐体３には、側面に、サイドキー５ａ、５ｂが設けられている。
【００２０】
図３は、携帯電話機１０の下部筐体３の分解斜視図（表側から見た図）である。図３に示すように、携帯電話機１０の下部筐体３は、ケース３７とカバー３１とで構成される。下部筐体３には、スイッチングシート３２、フレーム３３、シールド蓋３４、回路基板３５などが収められている。下部筐体３は、ケース３７とカバー３１とで構成され、これらを収納することで、作業性良く組立てることができる。また、本実施の形態１の携帯電話機１０では、回路基板３５の他にさらにサブ回路基板３６も設けている。また、裏面側には、（図示しない）電池パック、電池蓋などを取り付けている。
【００２１】
図３に示すように、携帯電話機１０の下部筐体３の一部であるカバー３１には、サイドキー５ａ、５ｂを突出させるための開口３１１ａ、３１１ｂを有する。ケース３７及びカバー３１は、樹脂製のものを用いることができる。また、カバー３１には、操作キー７、コマンドナビゲーションボタン８などが配置されたキーシート３１２が配設されている。
【００２２】
図４に、本実施の形態１の携帯電話機１０のスイッチングシート３２、フレーム３３、サイドキー５ａ、５ｂなどの分解斜視図を示す。図４に示すように、スイッチングシート３２は、複数の固定接点を有するフレキシブル基板などの固定接点回路基板３２Ｂに、複数の固定接点に１対１で対応する複数の可動接点３２６を有する可動接点シート３２Ａを積層した構成になっている。可動接点シート３２Ａは、接着性シートが用いられ、ダイヤフラムなどの可動接点３２６が接着されている。そして、可動接点シート３２Ａを、固定接点回路基板３２Ｂに、接着して、スイッチングシート３２を組み立てることができる。固定接点回路基板３２Ｂには、複数の固定接点のほか、スイッチング回路が形成されている。
【００２３】
スイッチングシート３２は、下部筐体３の一部であるカバー３１に配設されているキーシート３１２に対向する部分（主シート）と、折曲られてフレーム３３の側面のサイドキー５ａ、５ｂを設置する位置まで延設され、サイドキー５ａ、５ｂの貫通ピンに対応する位置に透孔（符号３２１ａ及び３２２ａ、３２１ｂ及び３２２ｂ、３２１ｃ及び３２２ｃ、３２１ｄ及び３２２ｄに対応する透孔）を有する部分（サイドシート）とを有する。すなわち、スイッチングシート３２は、主シートと主シートから延設されたサイドシートとを有する。そして、サイドキー５ａ、５ｂの貫通ピン５３ａ、５３ｂ、５３ｃ、５３ｄ（図５参照）をスイッチングシート３２の透孔に貫挿し、さらに、フレーム３３の貫通穴３３３ａ、３３３ｂ、３３３ｃ、３３３ｄに貫挿することでフレーム３３に固定又は仮止めされる。また、このスイッチングシート３２は、両面接着テープ３２Ｃを介してフレーム３３の主面に接着される。
【００２４】
また、スイッチングシート３２は、主シートから延設されたサイドシート（サイドキー５ａ、５ｂを設置する位置）に設けられた可動接点又は固定接点がサイドキー５ａ、５ｂと１対１で対向する状態で、フレーム３３の側面に取り付けられ、サイドキー５ａ、５ｂを押圧することにより対応する可動接点と固定接点とが相互に接触して電気信号が入力される。
【００２５】
また、操作キー７などと固定接点又は可動接点が１対１で対向する状態で、キーシート３１２とスイッチングシート３２とが相互に重なり合わせられて筐体（下部筐体３）又はフレーム３３の主面に取り付けられ、任意の操作キー７などを押圧することにより対応する可動接点と固定接点とが相互に接触して電気信号が入力される。
【００２６】
フレーム３３は、図３及び図４に示すように、周縁にサイドキー５ａ、５ｂを取り付けるための起立部３３１を有する。そして、フレーム３３の起立部３３１のサイドキー取り付け位置３３２ａ、３３２ｂには、サイドキー５ａ、５ｂを取り付けるための貫通穴３３３ａ、３３３ｂ、３３３ｃ、３３３ｄがある。なお、このフレーム３３は、厚さ０．３ｍｍ程度の金属板を打ち抜き加工し、折り曲げることで形成され、このフレーム３３で、下部筐体３の、高周波回路などを有する回路基板３５をシールドする。
【００２７】
また、回路基板３５の主面には、携帯電話機１０の送受信部などを含む高周波回路や、種々の信号処理を行うアナログ回路、ディジタル回路などが形成されている。この回路基板３５の主面には、シャーシ枠３５１ａ、３５１ｂが取り付けられている。シャーシ枠３５１ａ、３５１ｂは回路基板３５の外縁近傍に配設された外枠部（シャーシ外枠３５１ａ）と、内枠部（シャーシ内枠３５１ｂ）とに分けて考えることができる。シャーシ外枠３５１ａは、回路基板３５上に、回路基板３５上の回路を囲むように起立せしめられている。
【００２８】
回路基板３５の主面には、シールド蓋３４が取り付けられる。また、シールド蓋３４は、回路基板３５とフレーム３３の間に介挿される。シールド蓋３４は、シャーシ枠（シャーシ枠のうちシャーシ内枠３５１ｂ）に弾性的に接触する切起し片３４１ａ、３４１ｂを有する。回路基板３５と金属プレート３３の間に、このようなシールド蓋３４を入れることで、操作キー７などの押下、衝撃などを受けた場合でもシールド部材であるフレーム３３と回路基板３５の間のグランド接続を確実にすることで、確実なシールド効果を得て、衝撃に対する緩衝性を高めるようにしている。なお、このシールド蓋３４は、厚さ０．１ｍｍ程度の金属板を打ち抜き加工し、折り曲げることで形成できる。
【００２９】
図５にサイドキー５ａ、５ｂを筐体（下部筐体３のカバー３１）に取り付けた状態の拡大図を示す。図５（ａ）は、側面図である。図５（ｂ）は、図５（ａ）のＣ−Ｃ断面図である。図５に示すように、サイドキー５ａ、５ｂは、キートップ５１ａ、５１ｂと、枠体５２ａ、５２ｂと、枠体５２ａ、５２ｂに形成された貫通ピン５３ａ、５３ｂ、５３ｃ、５３ｄとを有する。サイドキー５ａのキートップ５１ａと枠体５２ａと貫通ピン５３ａ、５３ｂとは、一体形成されている。また、サイドキー５ｂの、キートップ５１ｂと、枠体５２ｂと、貫通ピン５３ｃ、５３ｄも同様に一体形成されている。サイドキー５ａ、５ｂは、例えば、ＡＢＳ樹脂などの樹脂製のものを用いることができる。なお、図５（ｂ）に示す断面部分では、サイドキー５ａのキートップ５１ａ及び枠体５２ａ（サイドキー５ｂのキートップ５１ｂ及び枠体５２ｂも同様）は接続されていないようにも見えるが、サイドキー５ａのキートップ５１ａ及び枠体５２ａ（サイドキー５ｂのキートップ５１ｂ及び枠体５２ｂも同様）は図示されていない他の部分の２箇所で接続されており、それ以外の箇所は、キートップ５１ａ（キートップ５１ｂも同様）を可動しやすくするために接続されていない。
【００３０】
図５に示すように、サイドキー５ａ、５ｂは、貫通ピン５３ａ、５３ｂ、５３ｃ、５３ｄをフレーム３３の貫通穴３３３ａ、３３３ｂ、３３３ｃ、３３３ｄに貫挿することでフレーム３３の側面（起立部３３１のサイドキー取り付け位置３３２ａ、３３２ｂ）に固定又は仮止めされている。そして、サイドキー５ａ、５ｂの枠体５２ａ、５２ｂが下部筐体３とフレーム３３の側面（図３に示す、フレーム３３の起立部３３１のサイドキー取り付け位置３３２ａ、３３２ｂ）との間に配置され、キートップが筐体（図３に示す、下部筐体３のカバー３１）に形成した開口３１１ａ、３１１ｂより突出することで筐体（下部筐体３）の側面に正しく固定される。
【００３１】
なお、サイドキー５ａ、５ｂの貫通ピン５３ａ、５３ｂ、５３ｃ、５３ｄは、先端をかぎ形の形状などにすることもできるが、図５に示すように、先端をかぎ形の形状などにしないこともできる。先端をかぎ形の形状にすれば、サイドキー５ａ、５ｂは、貫通ピン５３ａ、５３ｂ、５３ｃ、５３ｄをフレーム３３の貫通穴３３３ａ、３３３ｂ、３３３ｃ、３３３ｄに貫挿することでフレーム３３の側面に固定することができる。一方、図５に示すように、貫通ピン５３ａ、５３ｂ、５３ｃ、５３ｄの先端をかぎ形の形状などにしない方が、部品としてのサイドキー５ａ、５ｂの製造をしやすくすることができる。また、フレーム３３の側面には仮止めできれば、その後、筐体（下部筐体３）に正しく固定できるので、特に問題はない。
【００３２】
また、図４及び図５に示すように、貫通ピン５３ａ、５３ｂ、５３ｃ、５３ｄは枠体５２ａ、５２ｂに対して対称とならないように配される。すなわちサイドキー５ａ（サイドキー５ｂも同様）は、２つの貫通ピン５３ａ、５３ｂを有しているが、サイドキー５３ａに対して対称となる位置を外して配設される。一方、フレーム３３は、複数の貫通穴３３３ａ、３３３ｂ（３３３ｃ、３３３ｄも同様）を有し、貫通ピン５３ａ、５３ｂ（貫通ピン５３ｃ、５３ｄも同様）のそれぞれは、フレーム３３に対して対称となる位置を外して配設される。具体的には、サイドキー５ｂの貫通ピン５３ｃ、５３ｄは、枠体５２ｂ（又はフレーム３３のサイドキー取り付け位置３３２ｂ）の１辺に偏るように（ストレートに）配置されている。これに対して、サイドキー５ａの貫通ピン５３ａ、５３ｂは、枠体５２ａ（又はフレーム３３のサイドキー取り付け位置３３２ａ）の対角に配置されている。フレーム３３の複数の貫通穴３３３ａ、３３３ｂ、３３３ｃ、３３３ｄも同様である。
【００３３】
次に、本実施の形態１の携帯電話機１０のサイドキー５ａ、５ｂの組立方法について説明する。
図４に示すように、まず、複数の可動接点３２６を有する可動接点シート３２Ａと複数の固定接点（図示せず）を有するフレキシブル基板で構成された固定接点回路基板３２Ｂとを接着して、スイッチングシート３２を組立てる。
次に、スイッチングシート３２を両面接着テープ３２Ｃを介してフレーム３３の主面に接着する。
【００３４】
次に、スイッチングシート３２を折曲げてフレーム３３の側面（起立部３３１）のサイドキー５ａ、５ｂを設置する位置（サイドキー取り付け位置３３２ａ、３３２ｂ）まで延設する。そして、スイッチングシート３２をフレーム３３の側面（起立部３３１）のサイドキー５ａ、５ｂを設置する位置（サイドキー取り付け位置３３２ａ、３３２ｂ）に位置あわせする。
【００３５】
次に、図４及び図５に示すように、サイドキー５ａ、５ｂの貫通ピン５３ａ、５３ｂ、５３ｃ、５３ｄをスイッチングシート３２の透孔（符号３２１ａ及び３２２ａ、３２１ｂ及び３２２ｂ、３２１ｃ及び３２２ｃ、３２１ｄ及び３２２ｄに対応する透孔）とフレーム３３の貫通穴３３３ａ、３３３ｂ、３３３ｃ、３３３ｄとに貫挿する。これにより、サイドキー５ａ、５ｂとスイッチングシート３２は、フレーム３３の側面に固定又は仮止めされる。なお、この段階では、サイドキー５ａ、５ｂは、貫通ピン５３ａ、５３ｂ、５３ｃ、５３ｄでフレーム３３に仮止めされているにすぎない状態でも構わない。
【００３６】
次に、サイドキーの固定されたフレーム３３を、サイドキー５ａ、５ｂのキートップを筐体（下部筐体３のカバー３１）に形成した開口３１１ａ、３１１ｂより突出させる態様にて筐体（下部筐体３のカバー３１）に収める。これにより、最終的に、サイドキー５ａ、５ｂは筐体（下部筐体３の側面）とフレーム３３（フレーム３３の側面の起立部３３１）との間に正しく固定される。
【００３７】
以上説明したように、本実施の形態１の携帯電話機１０によれば、サイドキー５ａ、５ｂの貫通ピン５３ａ、５３ｂ、５３ｃ、５３ｄにより位置決めをしながらサイドキー５ａ、５ｂをフレーム３３の側面に固定又は仮止めすることができるため、組立冶具が不要であるなど、サイドキー５ａ、５ｂの組立の作業性が良好である。また、両面粘着テープの分の部品点数の増加を防ぐこともできる。さらに、サイドキー５ａ、５ｂの枠体５２ａ、５２ｂが筐体（下部筐体３のカバー３１）とフレーム３３の側面との間に配置され、キートップ５１ａ、５１ｂが筐体の開口３１１ａ、３１１ｂより突出することで筐体の側面に固定することで、最終的に、サイドキー５ａ、５ｂを筐体に固定することができる。
【００３８】
また、本実施の形態１の携帯電話機１０によれば、スイッチングシート３２を折曲げ、透孔（符号３２１ａ及び３２２ａ、３２１ｂ及び３２２ｂ、３２１ｃ及び３２２ｃ、３２１ｄ及び３２２ｄに対応する透孔）にサイドキー５ａ、５ｂの貫通ピン５３ａ、５３ｂ、５３ｃ、５３ｄを貫挿し、貫通ピン５３ａ、５３ｂ、５３ｃ、５３ｄをフレーム３３の貫通穴３３３ａ、３３３ｂ、３３３ｃ、３３３ｄに貫挿することで、スイッチングシートのフレーム３３の側面への固定又は仮止めの作業性も良好にすることができる。
【００３９】
また、本実施の形態１の携帯電話機１０によれば、スイッチングシート３２（例えば、スイッチングシートのうち、主面に配置される部分）はフレーム３３の主面に両面接着テープで接着することで、フレーム３３の主面への固定がなされる。この後にサイドシートを折り曲げ、透孔にサイドキー５ａ、５ｂの貫通ピン５３ａ、５３ｂ、５３ｃ、５３ｄを貫挿し、貫通ピン５３ａ、５３ｂ、５３ｃ、５３ｄをフレーム３３の貫通穴３３３ａ、３３３ｂ、３３３ｃ、３３３ｄに貫挿することで、作業性良くフレーム３３の側面に固定又は仮止めすることができる。
【００４０】
また、本実施の形態１の携帯電話機１０によれば、サイドキー５ａ、５ｂがフレーム３３に対して誤った方向に取り付けようとしても、サイドキー５ａ、５ｂの貫通ピン５３ａ、５３ｂ、５３ｃ、５３ｄとフレーム３３の貫通穴３３３ａ、３３３ｂ、３３３ｃ、３３３ｄとが合わないようになっており、サイドキー５ａ、５ｂを誤った向きに取り付けてしまうことを防止できる。
【００４１】
さらにまた、本実施の形態１の携帯電話機１０によれば、サイドキー５ａ、５ｂを押圧することで電気信号の入力が可能となる。
また、本実施の形態１の携帯電話機１０によれば、操作キー７を押圧することで電気信号の入力が可能となる。
【００４２】
また、本実施の形態１の携帯電話機１０の製造方法によれば、サイドキー５ａ、５ｂの貫通ピン５３ａ、５３ｂ、５３ｃ、５３ｄをフレーム３３の貫通穴３３３ａ、３３３ｂ、３３３ｃ、３３３ｄに貫挿することでサイドキー５ａ、５ｂをフレーム３３の側面に固定又は仮止めすることができるため、組立冶具が不要であるなど、サイドキー５ａ、５ｂの組立の作業性が良好であり、また、両面粘着テープの分の部品点数の増加を防ぐこともできる。また、スイッチングシート３２の透孔（符号３２１ａ及び３２２ａ、３２１ｂ及び３２２ｂ、３２１ｃ及び３２２ｃ、３２１ｄ及び３２２ｄに対応する透孔）にサイドキー５ａ、５ｂの貫通ピン５３ａ、５３ｂ、５３ｃ、５３ｄを貫挿し、フレーム３３の貫通穴３３３ａ、３３３ｂ、３３３ｃ、３３３ｄに貫挿することで、スイッチングシート３２をフレーム３３の側面への固定又は仮止めもできるため、スイッチングシート３２の取り付けの作業性も良好にすることができる。さらに、サイドキー５ａ、５ｂの固定されたフレーム３３を、サイドキー５ａ、５ｂのキートップを筐体の開口３１１ａ、３１１ｂより突出させる態様にて筐体（下部筐体３のカバー３１）に収めることで、筐体（下部筐体３のカバー３１）の側面に固定し、これにより、最終的に、サイドキー５ａ、５ｂを筐体に正しく固定することができる。
【００４３】
また、本実施の形態１の携帯電話機１０の製造方法によれば、スイッチングシート３２（例えば、スイッチングシートのうち、筐体の主面に配置する部分）をフレーム３３の主面に接着して固定した状態で、スイッチングシート３２を折り曲げてサイドキー５ａ、５ｂの位置まで延設するので、サイドキー５ａ、５ｂをフレーム３３の側面に固定又は仮止めする際の組立作業性が向上する。
【００４４】
なお、以上の説明では、スイッチングシート３２は、筐体（下部筐体３）の主面に配設する主シートの部分と、サイドキー５ａ、５ｂの配置される位置までこの主シートを延設したサイドシートの部分を有するひとつのシートで構成した例を示したが、筐体の主面に配設する主シートと、サイドキーの配置される位置に配置するサイドシートとをそれぞれ別のシートとする構成にすることもできる。また、それぞれ別のシートとする場合は、必ずしもフレキシブル基板を用いなくてもよい。
【００４５】
また、以上の説明では、スイッチングシート３２の主シート部分を両面接着テープ３２Ｃを介してフレーム３３の主面に接着した例を示したが、他の固定方法を用いてもよい。
また、以上の説明では、フレーム３３は、金属製である例について示したが、樹脂製のものを用いることもできる。また、樹脂製のフレームを用いる場合に、樹脂製のフレームの表面を金属でコーティングすることもできる。
【００４６】
また、以上の説明では、携帯電話機１０は、上部筐体２と下部筐体３とがヒンジ４で結合されている、いわゆる折り畳み式の携帯電話機である例を示したが、いわゆるストレートタイプの携帯電話機などのいわゆる折り畳み式でない携帯電話機であっても構わない。
【産業上の利用可能性】
【００４７】
本発明の携帯端末装置は、サイドキーの貫通ピンにより位置決めをしながらサイドキーをフレームの側面に固定又は仮止めすることができるため、組立冶具が不要であるなど、サイドキーの組立の作業性が良好である。また、サイドキーの枠体が筐体とフレームの側面との間に配置され、キートップが筐体の開口より突出することで筐体の側面に固定することで、最終的に、サイドキーを筐体に正しく固定することができる。また、スイッチングシートを折曲げ、透孔にサイドキーの貫通ピンを貫挿し、貫通ピンをフレームの貫通穴に貫挿することで、スイッチングシートのフレームの側面への固定又は仮止めの作業性も良好にすることができる。このため、携帯電話機、ＰＨＳ、ＰＤＡ等を含む携帯端末装置などに有用である。
【図面の簡単な説明】
【００４９】
【図１】本発明の実施の形態１の携帯電話機１０を閉じた状態の全体概要図であり、（Ａ）は斜視図、（Ｂ）は側面図
【図２】本発明の実施の形態１の携帯電話機１０を開いた状態の全体概要図であり、（Ａ）は斜視図、（Ｂ）は側面図
【図３】携帯電話機１０の下部筐体３の分解斜視図
【図４】本発明の実施の形態１の携帯電話機１０のスイッチングシート３２、フレーム３３、サイドキー５ａ、５ｂなどの分解斜視図
【図５】本発明の実施の形態１のサイドキー５ａ、５ｂを筐体（下部筐体３のカバー３１）に取り付けた状態の拡大図であり、（ａ）は側面図、（ｂ）は（ａ）のＣ−Ｃ断面図
【符号の説明】
【００５０】
１０  携帯電話機（携帯端末装置）
２  上部筐体
３  下部筐体
３１  カバー
３１１ａ、３１１ｂ  開口
３１２  キーシート
３２  スイッチングシート
３２Ａ  可動接点シート
３２６  可動接点
３２Ｂ  固定接点回路基板
３２Ｃ  両面接着テープ
３３  フレーム
３３１  起立部
３３２ａ、３３２ｂ  サイドキー取り付け位置
３３３ａ、３３３ｂ、３３３ｃ、３３３ｄ  貫通穴
３４  シールド蓋
３５  回路基板
３６  サブ回路基板
３７  ケース
４  ヒンジ
５ａ、５ｂ  サイドキー
５１ａ、５１ｂ  キートップ
５２ａ、５２ｂ  枠体
５３ａ、５３ｂ、５３ｃ、５３ｄ  貫通ピン
６  液晶表示部
７  操作キー
８  コマンドナビゲーションボタン
９  受話口
【図１】
0004480038.tif 000002
【図２】
0004480038.tif 000003
【図３】
0004480038.tif 000004
【図４】
0004480038.tif 000005
【図５】
0004480038.tif 000006